(57)【要約】【課題】電池切れになっても簡単な構成に電池パックを交換することが可能な電池パックユニットを提供する。【解決手段】一次側電池パック１と二次側電池パック２の２つの電池パックを電池パックユニット５に内蔵する。そして、一次側電池パック１の接続端子３ａ、３ｂ、３ｃと二次側電池パック２の接続端子４ａ、４ｂ、４ｃを電池パックユニットの互いに対向する端面に点対称の位置に配置する。あるいは、一次側電池パック１の接続端子３ａ、３ｂ、３ｃと二次側電池パック２の接続端子４ａ、４ｂ、４ｃを電池パックユニットの同じ端面に点対称の位置に配置する。【選択図】図１
2010140857.tif 000002
【特許請求の範囲】
【請求項１】
電池使用機器に電源を供給する第１の電池パックと第２の電池パックとの２つの電池パックを内蔵する電池パックユニットであって、
前記第１の電池パックと第２の電池パックには、それぞれ、前記電池使用機器の接続端子に接続する複数の接続端子が配置され、前記第１、第２の電池パックの複数の接続端子は、電池パックユニットの装着方向を変えて交換できるように点対称の位置に配置されていることを特徴とする電池パックユニット。
【請求項２】
電池使用機器に電源を供給する第１の電池パックと第２の電池パックとの２つの電池パックを内蔵する電池パックユニットであって、
前記第１の電池パックと第２の電池パックには、それぞれ、前記電池使用機器の接続端子に接続する複数の接続端子が配置され、前記第１の電池パックと第２の電池パックの複数の接続端子は、電池パックユニットの互いに対向する端面に点対称の位置に配置されていることを特徴とする電池パックユニット。
【請求項３】
電池使用機器に電源を供給する第１の電池パックと第２の電池パックとの２つの電池パックを内蔵する電池パックユニットであって、
前記第１の電池パックと第２の電池パックには、それぞれ、前記電池使用機器の接続端子に接続する複数の接続端子が配置され、前記第１の電池パックと第２の電池パックの複数の接続端子は、電池パックユニットの同じ端面に点対称の位置に配置されていることを特徴とする電池パックユニット。
【請求項４】
前記第１、第２の電池パックのうち一方の電池パックは予備電池パックであり、前記予備電池パックは他方の電池パックより電池容量が小さいことを特徴とする請求項１乃至３のいずれか１項に記載の電池パックユニット。
【請求項５】
前記電池パックユニットは長方形状を有し、前記第１、第２の電池パックは前記電池パックユニットの長手方向に対して直交する方向に分断する形で配置されていることを特徴とする請求項１乃至４のいずれか１項に記載の電池パックユニット。
【請求項６】
前記電池パックユニットは長方形状を有し、前記第１、第２の電池パックは前記電池パックユニットの短手方向に対して直交する方向に分断する形で配置されていることを特徴とする請求項１乃至４のいずれか１項に記載の電池パックユニット。
【発明の詳細な説明】
【技術分野】
【０００１】
本発明は、携帯情報端末等の電池使用機器に用いられる電池パックユニットの改良に関するものである。
【背景技術】
【０００２】
従来の電池パックとしては、例えば、特許文献１には、電池パックの端子の位置を工夫することで、電池パックの装着方向に関係なく、電池使用機器や充電器への装着の際に導電接続を行うことが記載されている。
【０００３】
また、特許文献２には、２次電池に内蔵された制御回路により、２次電池の使用可能な携帯端末情報、使用履歴情報等を管理することで、複数種類の携帯端末間で２次電池の効率的な再利用を行い、外出先で電池切れとなった場合には、簡単に２次電池を入手可能とすることが記載されている。
【０００４】
更に、特許文献３には、電池ケースを複数の電池パックで構成し、電池切れの場合には切替手段で給電する電池パックを切り替えることが記載されている。
【特許文献１】特開２００３−３３１８０６号公報
【特許文献２】特開２００７−２３４４３４号公報
【特許文献３】特開平０９−３６９３３号公報
【発明の開示】
【発明が解決しようとする課題】
【０００５】
特許文献１のものは、１つの電池パックで構成されているため、電池切れになると充電したり、或いは予備の電池パックに交換する必要がある。そのため、外出先で電池切れになった場合には、予備の電池パックがないと、例えば、携帯電話機等の電池使用機器は使用できない。
【０００６】
特許文献２のものは、複数種類の携帯端末間で２次電池の再利用を行うことは可能であるが、２次電池内に複雑な制御回路が必要であるばかりか、電池切れの際にすぐに電池を交換することはできない。
【０００７】
更に、特許文献３のものは、電池ケース内に切り替えスイッチ等の切替手段が組み込まれており、電池切れの場合には電池パックを切替手段を用いて切り替える構成であるため、構成が複雑になる問題点があった。
【０００８】
本発明の目的は、電池切れになっても簡単に電池パックを交換することが可能な電池パックユニットを提供することにある。
【課題を解決するための手段】
【０００９】
本発明は、電池使用機器に電源を供給する第１の電池パックと第２の電池パックとの２つの電池パックを内蔵する電池パックユニットであって、前記第１の電池パックと第２の電池パックには、それぞれ、前記電池使用機器の接続端子に接続する複数の接続端子が配置され、前記第１、第２の電池パックの複数の接続端子は、電池パックユニットの装着方向を変えて交換できるように点対称の位置に配置されていることを特徴とする。
【００１０】
また、本発明は、電池使用機器に電源を供給する第１の電池パックと第２の電池パックとの２つの電池パックを内蔵する電池パックユニットであって、前記第１の電池パックと第２の電池パックには、それぞれ、前記電池使用機器の接続端子に接続する複数の接続端子が配置され、前記第１の電池パックと第２の電池パックの複数の接続端子は、電池パックユニットの互いに対向する端面に点対称の位置に配置されていることを特徴とする。
【００１１】
また、本発明は、電池使用機器に電源を供給する第１の電池パックと第２の電池パックとの２つの電池パックを内蔵する電池パックユニットであって、前記第１の電池パックと第２の電池パックには、それぞれ、前記電池使用機器の接続端子に接続する複数の接続端子が配置され、前記第１の電池パックと第２の電池パックの複数の接続端子は、電池パックユニットの同じ端面に点対称の位置に配置されていることを特徴とする。
【発明の効果】
【００１２】
本発明によれば、電池パックユニット内に２つの電池パックを組み込み、電池切れになった場合には、電池パックユニットを１８０度回転させた状態で電池使用機器に装着するだけで、簡単に電池パック交換することが可能となる。
【発明を実施するための最良の形態】
【００１３】
次に、発明を実施するための最良の形態について図面を参照して詳細に説明する。図１は本発明に係る電池パックユニットの一実施形態を示す斜視図である。図中５は電池パックユニットであり、内部に２つの電池パック１、２が組み込まれている。一方の電池パックを一次側電池パック１、他方の電池パックを二次側電池パック２という。電池パックユニット５は長方形状であり、その長手方向に対して直交する方向に分断する形で一次側電池パック１と二次側電池パック２が内蔵されている。
【００１４】
一次側電池パック１と二次側電池パック２には、例えば、リチウムイオン二次電池等が用いられる。図１では一次側電池パック１の方が二次側電池パック２よりも大きい形状としているが、これは、一次側電池パック１の電池容量を二次側電池パック２の電池容量より大きくしているためである。即ち、二次側電池パック２を予備用の電池パックとしており、二次側電池パック２の電池容量を小さくしているためであるが、両方の電池容量を同じにする等電池容量の設定は任意である。
【００１５】
一次側電池パック１の端面５ａには一次側電池接続端子３（３ａ、３ｂ、３ｃ）が配置され、端面５ａと対向する二次側電池パック２の端面５ｂには二次側電池接続端子４（４ａ、４ｂ、４ｃ）が配置されている。一次側電池接続端子３ａは二次側電池接続端子４ａに対応し、一次側電池接続端子３ｂは二次側電池接続端子４ｂに対応する。一次側電池接続端子３ｃは二次側電池接続端子４ｃに対応する。接続端子３ａと４ａは、例えば＋端子、接続端子３ｂと４ｂは温度検出用端子、接続端子３ｃと４ｃは−端子である。
【００１６】
ここで、一次側電池パック１の一次側電池接続端子３（３ａ、３ｂ、３ｃ）と二次側電池パック２の二次側電池接続端子４（４ａ、４ｂ、４ｃ）は、電池パックユニット５を横方向に１８０度回転させた時に同じ位置になるように点対称に配置されている。
【００１７】
図２は一次側電池パック１を使用する場合の携帯端末への装着方法を示す図である。図中６は携帯電話機等の携帯端末本体である。携帯端末本体６には、電池パックユニット５を収納するための収納部９が凹状に設けられている。収納部９の一方の壁面には、一次側電池接続端子３（３ａ、３ｂ、３ｃ）や二次側電池接続端子４（４ａ、４ｂ、４ｃ）と接続するための接続端子７（７ａ、７ｂ、７ｃ）が配置されている。
【００１８】
通常、携帯端末本体６に電池パックユニット５を装着する場合には、電池容量の大きい一次側電池パック１から給電する。そのため、図２に示すように一次側電池パック１の一次側電池接続端子３（３ａ、３ｂ、３ｃ）を携帯端末本体６の接続端子７（７ａ、７ｂ、７ｃ）側に向けて電池パックユニット５を収納部９内に装着する。携帯端末としては、例えば、携帯電話機を想定している。
【００１９】
この状態では、図４（ａ）に示すように一次側電池パック１の一次側電池接続端子３（３ａ、３ｂ、３ｃ）が、それぞれ携帯端末本体６の接続端子７（７ａ、７ｂ、７ｃ）に導電接続され、携帯端末本体６に一次側電池パック１から給電される。この場合には、二次側電池パック２の二次側電池接続端子４（４ａ、４ｂ、４ｃ）はどこにも接続されず、二次側電池パック２は未使用状態となる。
【００２０】
一方、一次側電池パック１の電池残量が無くなった場合には、電池パックを交換する必要があるが、その場合には予備の二次側電池パック２に交換する。その場合には、図２の状態から電池パックユニット５を横方向に１８０度回転させて、図３に示すように二次側電池接続端子４（４ａ、４ｂ、４ｃ）を携帯端末本体６の接続端子７（７ａ、７ｂ、７ｃ）側に向けて電池パックユニット５を収納部９内に装着する。
【００２１】
この状態では、図４（ｂ）に示すように二次側電池パック２の二次側電池接続端子４（４ａ、４ｂ、４ｃ）が、それぞれ携帯端末本体６の接続端子７（７ａ、７ｂ、７ｃ）に導電接続され、携帯端末本体６に一次側電池パック２から給電される。一次側電池接続端子３（３ａ、３ｂ、３ｃ）はどこにも接続されない。
【００２２】
このように本実施形態では、電池パックユニット５を横方向に１８０度回転させた状態で携帯端末本体６に装着するだけで電池パックを容易に交換することが可能となる。特に、外出先で電池切れになった場合には、予備の電池パックを持っていなくても、すぐに予備の電池パックに交換することが可能となる。
【００２３】
図５は本発明の他の実施形態を示す斜視図である。図５では図１と同一部分には同一符号を付している。本実施形態では電池パックユニット５は長方形状であり、電池パックユニット５の短手方向に対して直交する方向に分断する形で一次側電池パック１と二次側電池パック２が配置されている。本実施形態でも、二次側電池パック２を予備用の電池パックとしており、二次側電池パック２の電池容量を小さくしているが、両方の電池容量を同じにする等電池容量の設定は任意である。
【００２４】
電池パックユニット５の一方の端面５ｃには、一次側電池パック１の一次側電池接続端子３（３ａ、３ｂ、３ｃ）と二次側電池パック２の二次側電池接続端子４（４ａ、４ｂ、４ｃ）が配置されている。その場合、一次側電池接続端子３（３ａ、３ｂ、３ｃ）と二次側電池接続端子４（４ａ、４ｂ、４ｃ）は、端面５ｃの中心を軸に１８０度回転させた時に同じ位置となるように点対称の位置に配置されている。一次側電池接続端子３（３ａ、３ｂ、３ｃ）と二次側電池接続端子４（４ａ、４ｂ、４ｃ）の対応関係は図１の説明と同様である。また、これら接続端子の極性等も図１の説明と同様である。
【００２５】
この構造により、一次側電池パック１を使用する場合には、図２の場合と同様に一次側電池パック１の一次側電池接続端子３（３ａ、３ｂ、３ｃ）を携帯端末本体６の接続端子７（７ａ、７ｂ、７ｃ）側に向けて電池パックユニット５を収納部９内に装着する。一方、一次側電池パック１の電池残量が無くなった場合には、上述のように電池パックユニット５を１８０度回転させて、二次側電池接続端子４（４ａ、４ｂ、４ｃ）を携帯端末本体６の接続端子７（７ａ、７ｂ、７ｃ）側に向けて電池パックユニット５を収納部９内に装着する。
【００２６】
このように本実施形態においても、電池パックユニット５を１８０度回転させた状態で携帯端末本体６に装着するだけで電池パックを容易に交換することが可能となる。特に、外出先で電池切れになった場合に便利である。
【００２７】
なお、電池パックユニットの一次側電池パック１を充電する場合には、図２に示すように電池パックユニットを装着した状態で充電器に接続して充電する。二次側電池パック２を充電する場合には、図３に示すように電池パックユニットを装着した状態で充電器に接続して充電する。図５の場合も同様である。
【産業上の利用可能性】
【００２８】
本発明に係る電池パックユニットは、携帯電話機等の携帯端末の他にテジタルカメラ等の全ての電池を使用する電池使用機器に適用することが可能である。
【図面の簡単な説明】
【００２９】
【図１】本発明に係る電池パックユニットの一実施形態を示す斜視図である。
【図２】本発明の電池パックユニットの一次側電池パックを携帯端末に装着する場合の様子を示す斜視図である。
【図３】本発明の電池パックユニットの二次側電池パックを携帯端末に装着する場合の様子を示す斜視図である。
【図４】本発明の電池パックユニットの一次側電池パックから携帯端末に給電する場合と二次側電池パックから給電する場合のブロック図である。
【図５】本発明の他の実施形態を示す斜視図である。
【符号の説明】
【００３０】
１  一次側電池パック
２  二次側電池パック
３（３ａ、３ｂ、３ｃ）  一次側電池接続端子
４（４ａ、４ｂ、４ｃ）  二次側電池接続端子
５  電池パックユニット
５ａ、５ｂ、５ｃ  電池パックユニットの端面
６  携帯端末本体
７（７ａ、７ｂ、７ｃ）  携帯端末本体の接続端子
９  収納部
【図１】
2010140857.tif 000003
【図２】
2010140857.tif 000004
【図３】
2010140857.tif 000005
【図４】
2010140857.tif 000006
【図５】
2010140857.tif 000007